(57)【要約】【課題】視覚障害者用エレベータにおいて、利用者による操作ボタンの誤操作をなくすようにする。【解決手段】エレベータ１０は、利用者がエレベータ１０を操作する操作盤１２と、操作盤１２に設けられる操作ボタン１４と、利用者が操作ボタン１４を押圧する押圧時間に基づいて操作ボタン１４を登録する登録部４２とを有する。登録部４２の動作により、利用者による操作ボタン１４の誤操作を防ぐことができる。【選択図】図３
2011195225.tif 000002
【特許請求の範囲】
【請求項１】
利用者がエレベータを操作する操作盤と、
操作盤に設けられる操作ボタンと、
利用者が操作ボタンを押圧する押圧時間に基づいて操作ボタンを登録する登録部と、
を有することを特徴とする視覚障害者用エレベータ。
【請求項２】
請求項１に記載の視覚障害者用エレベータにおいて、
登録部は、押圧時間を計測するタイマーを有し、
登録部は、タイマーにより計測された押圧時間が所定時間以上である場合、押圧されている操作ボタンを登録する、
ことを特徴とする視覚障害者用エレベータ。
【請求項３】
請求項２に記載の視覚障害者用エレベータにおいて、
利用者に向けて音声を出力するスピーカを有し、
登録部は、利用者により操作ボタンが押圧された場合、スピーカを介して、その操作ボタンの登録条件を利用者に知らせる、
ことを特徴とする視覚障害者用エレベータ。
【請求項４】
請求項３に記載の視覚障害者用エレベータにおいて、
登録部は、操作ボタンが登録された場合、スピーカを介して、その旨を利用者に知らせる、
ことを特徴とする視覚障害者用エレベータ。
【請求項５】
請求項１から４のいずれか１つに記載の視覚障害者用エレベータにおいて、
操作盤は、かご内に設けられるかご操作盤と乗場に設けられる乗場操作盤の少なくとも一つである、
ことを特徴とする視覚障害者用エレベータ。
【請求項６】
利用者がエレベータを操作する操作盤と、
操作盤に設けられる操作ボタンと、
操作盤に設けられ、操作ボタンの内容を表した点字名板と、
利用者が点字名板に触れたことを検出する検出部と、
検出部の検出により、エレベータを通常運転モードから視覚障害者用モードに切り替えるモード切替部と、
モード切替部により視覚障害者用モードに切り替わった場合、利用者が操作ボタンを押圧する押圧時間に基づいて操作ボタンを登録する登録部と、
を有することを特徴とする視覚障害者用エレベータ。
【請求項７】
請求項６に記載の視覚障害者用エレベータにおいて、
モード切替部により視覚障害者用モードに切り替わった場合、登録部によりかご内の操作ボタンが登録されるまで、かごのドアの閉動作を遅らせるドア閉動作遅延部を有する、
ことを特徴とする視覚障害者用エレベータ。
【請求項８】
請求項６または７に記載の視覚障害者用エレベータにおいて、
登録部は、押圧時間を計測するタイマーを有し、
登録部は、タイマーにより計測された押圧時間が所定時間以上である場合、押圧されている操作ボタンを登録する、
ことを特徴とする視覚障害者用エレベータ。
【請求項９】
請求項８に記載の視覚障害者用エレベータにおいて、
利用者に向けて音声を出力するスピーカを有し、
登録部は、利用者により操作ボタンが押圧された場合、スピーカを介して、その操作ボタンの登録条件を利用者に知らせる、
ことを特徴とする視覚障害者用エレベータ。
【請求項１０】
請求項９に記載の視覚障害者用エレベータにおいて、
登録部は、操作ボタンが登録された場合、スピーカを介して、その旨を利用者に知らせる、
ことを特徴とする視覚障害者用エレベータ。
【請求項１１】
請求項６から１０のいずれか１つに記載の視覚障害者用エレベータにおいて、
操作盤は、かご内に設けられるかご操作盤と乗場に設けられる乗場操作盤の少なくとも一つである、
ことを特徴とする視覚障害者用エレベータ。
【請求項１２】
請求項６から１０のいずれか１つに記載の視覚障害者用エレベータにおいて、
操作盤は、かご内に設けられるかご操作盤と乗場に設けられる乗場操作盤とを含み、
モード切替部は、検出部によりかご又は乗場操作盤に設けられる点字名板のいずれか一方の接触が検出された場合、通常運転モードから視覚障害者用モードに切り替える、
ことを特徴とする視覚障害者用エレベータ。
【請求項１３】
利用者がエレベータを操作する操作盤と、
操作盤に設けられる操作ボタンと、
操作盤に設けられ、操作ボタンの内容を表した点字名板と、
を有する視覚障害者用エレベータの制御方法において、
利用者が点字名板に触れたことを検出する検出ステップと、
検出ステップの検出により、エレベータを通常運転モードから視覚障害者用モードに切り替えるモード切替ステップと、
モード切替ステップにより視覚障害者用モードに切り替わったとき、利用者が操作ボタンを押圧する押圧時間に基づいて操作ボタンを登録する登録ステップと、
を有することを特徴とする視覚障害者用エレベータの制御方法。
【発明の詳細な説明】
【技術分野】
【０００１】
本発明は、エレベータの乗場及びかごの操作ボタンの内容を表した点字名板を備えた視覚障害者用エレベータ及びその制御方法に関する。
【背景技術】
【０００２】
従来から、エレベータの乗場に設置される乗場操作盤、またはかご内に設置されるかご操作盤の操作ボタン付近に、視覚障害者が操作ボタンの内容を理解できるように、操作ボタンの内容を表した点字名板を備えた視覚障害者用エレベータが知られている。
【０００３】
下記特許文献１には、操作ボタンと、操作ボタンに隣接して操作ボタンの内容を表した点字とを有する操作盤を備えるエレベータの視覚障害者誘導装置が記載されている。また、この特許文献１には、視覚障害者誘導装置が、視覚障害者が点字に触れた場合、触れた点字の表示内容を音声報知する音声装置を有することが示されている。音声装置の音声報知により、点字を理解することが困難な視覚障害者であっても、エレベータの操作ボタンの内容を認識できる。
【０００４】
下記特許文献２には、かごの戸が開状態であるときにかご内の負荷の変動を検出する検出部と、検出部により変動が検出された場合、戸閉めを抑制する抑制部とを有するエレベータの戸閉め抑制装置が記載されている。抑制部により負荷の変動時に戸閉めが抑制される、すなわち戸の閉動作の開始時間が遅くなるので、かごの乗降中、利用者が戸にぶつかりにくく、また戸に挟まれにくくなる。
【先行技術文献】
【特許文献】
【０００５】
【特許文献１】特開２００４−２６９１９６号公報
【特許文献２】特開２００８−２３０７９１号公報
【発明の概要】
【発明が解決しようとする課題】
【０００６】
従来の視覚障害者用エレベータを利用する視覚障害者は、操作盤の操作ボタンを操作するために、一般的に、操作ボタンの内容を表した点字名板を手探りで探す。この手探り途中に、視覚障害者の手が、目的としない操作ボタンに誤って触れてしまい、その操作ボタンが登録されてしまうという問題がある。この場合、エレベータが視覚障害者の目的としない運転を開始する、例えば目的階以外に向かうので、視覚障害者の移動に支障をきたしてしまう。
【０００７】
また、視覚障害者が音声案内により操作ボタンの誤操作に気付き、改めて目的とする操作ボタンを登録しても、従来のエレベータにおいては、誤操作による運転が終了した後に、目的とする操作ボタンに基づく運転が開始されるので、時間がかかってしまうという問題がある。  
【０００８】
本発明の目的は、利用者による操作ボタンの誤操作をなくすとともに、エレベータの運転効率の向上を図ることができる視覚障害者用エレベータ及びその制御方法を提供することにある。
【課題を解決するための手段】
【０００９】
本発明の視覚障害者用エレベータは、利用者がエレベータを操作する操作盤と、操作盤に設けられる操作ボタンと、利用者が操作ボタンを押圧する押圧時間に基づいて操作ボタンを登録する登録部と、を有することを特徴とする。
【００１０】
また、登録部は、押圧時間を計測するタイマーを有し、登録部は、タイマーにより計測された押圧時間が所定時間以上である場合、押圧されている操作ボタンを登録することができる。
【００１１】
また、利用者に向けて音声を出力するスピーカを有し、登録部は、利用者により操作ボタンが押圧された場合、スピーカを介して、その操作ボタンの登録条件を利用者に知らせることができる。
【００１２】
また、登録部は、操作ボタンが登録された場合、スピーカを介して、その旨を利用者に知らせることができる。
【００１３】
また、操作盤は、かご内に設けられるかご操作盤と乗場に設けられる乗場操作盤の少なくとも一つであることが好適である。
【００１４】
また、別の発明の視覚障害者用エレベータは、利用者がエレベータを操作する操作盤と、操作盤に設けられる操作ボタンと、操作盤に設けられ、操作ボタンの内容を表した点字名板と、利用者が点字名板に触れたことを検出する検出部と、検出部の検出により、エレベータを通常運転モードから視覚障害者用モードに切り替えるモード切替部と、モード切替部により視覚障害者用モードに切り替わった場合、利用者が操作ボタンを押圧する押圧時間に基づいて操作ボタンを登録する登録部と、を有することを特徴とする。
【００１５】
また、モード切替部により視覚障害者用モードに切り替わった場合、登録部によりかご内の操作ボタンが登録されるまで、かごのドアの閉動作を遅らせるドア閉動作遅延部を有することができる。
【００１６】
また、登録部は、押圧時間を計測するタイマーを有し、登録部は、タイマーにより計測された押圧時間が所定時間以上である場合、押圧されている操作ボタンを登録することができる。
【００１７】
また、利用者に向けて音声を出力するスピーカを有し、登録部は、利用者により操作ボタンが押圧された場合、スピーカを介して、その操作ボタンの登録条件を利用者に知らせることができる。
【００１８】
また、登録部は、操作ボタンが登録された場合、スピーカを介して、その旨を利用者に知らせることができる。
【００１９】
また、操作盤は、かご内に設けられるかご操作盤と乗場に設けられる乗場操作盤の少なくとも一つであることが好適である。
【００２０】
また、操作盤は、かご内に設けられるかご操作盤と乗場に設けられる乗場操作盤とを含み、モード切替部は、検出部によりかご又は乗場操作盤に設けられる点字名板のいずれか一方の接触が検出された場合、通常運転モードから視覚障害者用モードに切り替えることができる。
【００２１】
また、別の発明の視覚障害者用エレベータの制御方法は、利用者がエレベータを操作する操作盤と、操作盤に設けられる操作ボタンと、操作盤に設けられ、操作ボタンの内容を表した点字名板と、を有する視覚障害者用エレベータの制御方法において、利用者が点字名板に触れたことを検出する検出ステップと、検出ステップの検出により、エレベータを通常運転モードから視覚障害者用モードに切り替えるモード切替ステップと、モード切替ステップにより視覚障害者用モードに切り替わったとき、利用者が操作ボタンを押圧する押圧時間に基づいて操作ボタンを登録する登録ステップと、を有することを特徴とする。
【発明の効果】
【００２２】
本発明の視覚障害者用エレベータ及びその制御方法によれば、利用者による操作ボタンの誤操作をなくすとともに、エレベータの運転効率の向上を図ることができる。
【図面の簡単な説明】
【００２３】
【図１】本実施形態に係る視覚障害者用エレベータのかご内に設けられるかご操作盤の構成を示す図である。
【図２】本実施形態に係る視覚障害者用エレベータの乗場に設けられる乗場操作盤の構成を示す図である。
【図３】本実施形態に係る視覚障害者用エレベータの構成を示す図である。
【図４】視覚障害者用エレベータの制御動作の一例を示すフローチャートである。
【発明を実施するための形態】
【００２４】
以下、本発明に係る視覚障害者用エレベータの実施形態について、図を用いて説明する。図１は、本実施形態に係る視覚障害者用エレベータのかご内に設けられるかご操作盤の構成を示す図であり、図２は、本実施形態に係る視覚障害者用エレベータの乗場に設けられる乗場操作盤の構成を示す図であり、図３は、本実施形態に係る視覚障害者用エレベータの構成を示す図である。
【００２５】
視覚障害者用エレベータ（以降、単に「エレベータ」と記す）１０は、利用者がエレベータ１０を操作する操作盤１２と、操作盤１２に設けられる操作ボタン１４と、操作盤１２に設けられ、操作ボタン１４の内容を表示した点字名板１６とを有する。
【００２６】
操作盤１２は、エレベータ１０のかご内に設けられるかご操作盤１８と、エレベータ１０の乗場に設けられる乗場操作盤２０を有する。
【００２７】
かご操作盤１８は、図１に示されるように、操作ボタン１４であるかご操作ボタン２２と、点字名板であるかご点字名板２４と、かごの現在位置及び移動方向を表示する表示部２６と、利用者に向けて音声を出力するスピーカ２８とを有する。
【００２８】
かご操作ボタン２２は、行き先階を登録するための行き先階ボタン２２ａと、かごのドア３０を開閉するための開ボタン２２ｂ，閉ボタン２２ｃと、外部に連絡するための非常用呼びボタン２２ｄとを有する。本実施形態の行き先階ボタン２２ａは、図１に示されるように、１から８階までの計８個である。しかし、行き先階ボタン２２ａの数は一例であって、本発明は行き先階ボタン２２ａの数８個に限定されない。
【００２９】
かご点字名板２４は、内容を表示するかご操作ボタン２２に隣接して設けられる。具体的には、かご点字名板２４は、行き先階ボタン２２ａに対応する行き先階ボタン点字名板２４ａと、開ボタン２２ｂに対応する開ボタン点字名板２４ｂと、閉ボタン２２ｃに対応する閉ボタン点字名板２４ｃと、非常用呼びボタン２２ｄに対応する非常用呼びボタン点字名板２４ｄとを有する。これらの点字名板２４ａ〜２４ｄは、対応する上記のボタン２２ａ〜２２ｄに隣接してそれぞれ設けられる。
【００３０】
乗場操作盤２０は、図２に示されるように、操作ボタン１４である乗場操作ボタン３２と、点字名板１６である乗場点字名板３４と、利用者に向けて音声を出力するスピーカ３６とを有する。
【００３１】
図２に示される乗場操作盤２０は、中間階の乗場に設置されるものである。よって、乗場操作ボタン３２は、エレベータ１０の行き先方向を登録するための上方向ボタン３２ａと、下方向ボタン３２ｂとを有する。図には示さないが、乗場操作盤２０が、最下階の乗場に設置される場合には、乗場操作ボタン３２は上方向ボタン３２ａのみを有し、乗場操作盤２０が、最上階の乗場に設置される場合には、乗場操作ボタン３２は下方向ボタン３２ｂのみを有する。
【００３２】
乗場点字名板３４は、内容を表示する乗場操作ボタン３２に隣接して設けられる。乗場点字名板３４は、上方向ボタン３２ａに対応する上方向ボタン点字名板３４ａと、下方向ボタン３２ｂに対応する下方向ボタン点字名板３４ｂとを有する。
【００３３】
エレベータ１０は、操作盤１２に接続され、操作盤１２からの入力情報、例えば行き先階ボタン２２ａの操作による行き先階情報に基づいて、このエレベータ１０の運転を制御する制御部３７を有する。
【００３４】
制御部３７は、検出部３８と、モード切替部４０と、登録部４２と、ドア閉動作遅延部４４とを有する。
【００３５】
検出部３８は、利用者が点字名板１６に触れたことを検出する。具体的には、操作盤１２には、点字名板１６への接触を検知するセンサ（図示せず）が設けられ、検出部３８は、このセンサの検知信号によって利用者が点字名板１６に触れたことを検出する。センサは、例えば静電式タッチセンサであり、導電体の点字名板１６の裏面に積層して設けられ、利用者の指と点字名板１６の近接によって生じる静電容量の変化により接触を検知する。
【００３６】
モード切替部４０は、検出部３８が、利用者が点字名板１６に触れたことを検出した場合、エレベータ１０のモードを、通常の運転を行なう通常運転モードから、視覚障害者に配慮した視覚障害者用モードに切り替える。ここで、点字名板１６は、かご点字名板２４と乗場点字名板３４であり、検出部３８が、これらの点字名板２４，３４のいずれか一方の接触を検出した場合、モード切替部４０は、視覚障害者用モードに切り替えることができる。
【００３７】
一般的に、利用者が視覚障害者以外、すなわち正常な視覚を有する者である場合、その利用者は、目的とする操作ボタン１４を直接押すことができる。しかし、利用者が視覚障害者である場合、その利用者は、そのような操作ができず、操作ボタン１４の内容を表した点字名板１６を手探りで探し、その後、目的とする操作ボタン１４を押す。よって、利用者が視覚障害者である場合、その利用者は、目的とする操作ボタン１４を押す前に、必ず、点字名板１６に触れる。このような視覚障害者の動作特性を活かし、モード切替部４０は、検出部３８が、利用者が点字名板１６に触れたことを検出した場合、利用者が視覚障害者であると判断し、エレベータ１０のモードを視覚障害者用モードに切り替える。
【００３８】
登録部４２は、エレベータ１０のモードが視覚障害者用モードである場合、利用者が操作ボタン１４を押圧する押圧時間に基づいて操作ボタン１４を登録する。このような登録部４２の登録動作により、利用者である視覚障害者による操作ボタン１４の誤操作を防ぐことができる。以下、視覚障害者用モードにおける操作ボタン１４の登録方法について具体的に説明する。
【００３９】
登録部４２は、利用者が操作ボタン１４を押圧する押圧時間を計測するタイマー４６を有する。登録部４２は、また、記憶部（図示せず）を有し、その記憶部には予め所定時間が記憶されている。登録部４２は、タイマー４６により計測された押圧時間が、記憶部の所定時間より大きい場合、押圧されている操作ボタン１４を登録する。
【００４０】
これにより、利用者である視覚障害者が、操作ボタン１４の内容を表した点字名板１６を手探りで探している途中に、誤って目的としない操作ボタン１４を押圧してしまった場合であっても、押圧時間が所定時間未満であれば、その操作ボタン１４は登録されない。よって、利用者である視覚障害者による操作ボタン１４の誤操作を防ぐことができる。なお、エレベータ１０のモードが通常運転モードである場合、利用者が操作ボタン１４を押圧すると、押圧時間の長さにかかわらず、その操作ボタン１４は登録される。
【００４１】
また、登録部４２は、利用者である視覚障害者により操作ボタン１４が押圧された場合、スピーカ２８，３６を介して、その操作ボタン１４の登録条件を利用者に知らせることができる。操作ボタン１４の登録条件とは、上述したように操作ボタン１４の押圧時間が所定時間以上のことである。例えば、利用者が４階の行き先階ボタン２２ａを押した場合、スピーカ２８から「４階のボタンが押されました。そのボタンを登録するには、そのまま押し続けてください。」というアナウンスが流される。また、利用者が上方向ボタン３２ａを押した場合、スピーカ３６から「上方向のボタンが押されました。そのボタンを登録するには、そのまま押し続けてください。」というアナウンスが流される。これらのようなアナウンスにより、利用者は、聴覚で操作ボタン１４の操作が正しい否かを判断することができ、正しい場合には、そのまま押し続けて登録を待つ。一方、誤操作である場合には、操作ボタン１４から手を離すことにより、その操作ボタン１４の登録を未然に防ぐことができる。
【００４２】
また、登録部４２は、操作ボタン１４が登録された場合、スピーカ２８，３６を介して、その旨を利用者に知らせることもできる。例えば、利用者が４階の行き先階ボタン２２ａを押し続けて登録された場合、スピーカ２８から「４階のボタンが登録されました。」というアナウンスが流される。また、利用者が上方向ボタン３２ａを押し続け登録された場合、スピーカ３６から「上方向のボタンが登録されました。」というアナウンスが流される。これらのようなアナウンスにより、利用者は、聴覚で操作ボタン１４が正確に登録されたか否かを判断することができ、利用者の不安が解消される。
【００４３】
ドア閉動作遅延部４４は、エレベータ１０のモードが視覚障害者用モードである場合、登録部４２によりかご内の操作ボタン１４が登録されるまで、かごのドア３０の閉動作を遅らせる。言い換えれば、ドア閉動作遅延部４４は、かご内の操作ボタン１４が登録されてから、ドア３０を閉じるように制御する。このようにドア３０の閉動作を遅延させることにより、利用者である視覚障害者が、かごの乗降中に、閉じるドア３０にぶつかる、または挟まれてしまうことを防止することができる。また、その利用者による操作ボタン１４の登録より前にドア３０が閉じて、エレベータ１０が他の乗場の呼び登録で運転してしまうことを防止することができる。
【００４４】
次に、本実施形態に係るエレベータ１０の制御動作の一例を、図４を用いて説明する。示すフローチャートである。
【００４５】
まず、ステップＳ１０１において、利用者が点字名板１６に触れたか否かが検出部３８により判断される。このとき、点字名板１６は、かごまたは乗場点字名板２４，３４のいずれか一方である。利用者と点字名板１６の接触がある、すなわち検出部３８による検出があった場合、ステップＳ１０２に進み、エレベータ１０のモードがモード切替部４０により視覚障害者用モードに切り替えられる。一方、利用者と点字名板１６の接触がない、すなわち検出部３８による検出がない場合には、エレベータ１０のモードは通常運転モードのままであり、ステップＳ１０１で待機する。
【００４６】
そして、ステップＳ１０３において、ドア３０の閉動作を遅らせる制御がドア閉動作遅延部４４により開始させられ、ステップＳ１０４に進む。ステップＳ１０４では、利用者による操作ボタン１４の押圧があったか否かが判断される。操作ボタン１４の押圧があった場合、ステップ１０５に進み、操作ボタン１４の登録条件がスピーカ２８，３６を介してアナウンスされる。一方、操作ボタン１４の押圧がない場合、操作ボタン１４が押圧されるまでステップＳ１０４で待機する。
【００４７】
次に、ステップＳ１０６において、操作ボタン１４の押圧時間が所定時間以上であるか否かが登録部４２により判断される。押圧時間が所定時間以上である場合、ステップＳ１０７に進み、その操作ボタン１４が登録され、その旨がスピーカ２８，３６を介してアナウンスされ、エレベータ１０の運転が開始される。一方、押圧時間が所定時間以上でない場合、その操作が誤操作でありキャンセルされたと判断され、ステップＳ１０４に戻る。
【００４８】
登録された操作ボタン１４が乗場操作ボタン３２である場合、エレベータ１０はその乗場に移動してドア３０が開く。なお、ドア３０は、視覚障害者用モードのため、かご内のかご操作ボタン２２が登録されるまで開状態のままである。ただし、ステップＳ１０４に戻った後、一定時間、かご操作ボタン２２の押圧が無い場合、利用者はいないと判断し、モード切替部４０により、エレベータ１０のモードが視覚障害者用モードから通常運転モードに切り替えることもできる。
【００４９】
一方、登録された操作ボタン１４がかご操作ボタン２２、例えば行き先階ボタン２２ａである場合、エレベータ１０は、ドア３０を閉じて、登録された行き先階に移動する。
【００５０】
本実施形態のエレベータ１０によれば、点字名板１６を手探りで探すという視覚障害者の特性を生かして、簡易な構造で、利用者が視覚障害者であるか否かを判断することができる。また、利用者が視覚障害者である場合には、利用者による操作ボタン１４の押圧時間の長さに基づいて操作ボタン１４を登録するか否かが判断される。これにより、視覚障害者の手が、目的としない操作ボタンに誤って触れてしまい、その操作ボタンが登録されてしまうという誤操作を未然に防ぐことができる。誤操作がなくなると、エレベータ１０の無駄な運転がなくなるので、運転効率が向上する。さらに、利用者は聴覚により操作内容を認識することができるので、利用者の不安が解消される。
【００５１】
本実施形態においては、エレベータ１０が通常運転モードと視覚障害者用モードとを有する場合について説明したが、この構成に限定されない。エレベータ１０が視覚障害者用モードのみを有することもできる。すなわち、操作ボタン１４の誤操作を防止するため、全ての利用者による操作ボタン１４の押圧時間の長さに基づいて操作ボタン１４が登録される。この場合、エレベータ１０の構成として、利用者が視覚障害者であるか否かを判断する機能、すなわち検出部３８と、モードを切り替える機能、すなわちモード切替部４０とを省くことができる。
【００５２】
また、本実施形態では、操作盤１２がかご操作盤１８と乗場操作盤２０を有する場合について説明したが、この構成に限定されない。操作盤１２がかご操作盤１８と乗場操作盤２０の少なくとも１つであってもよい。例えば、操作盤１２がかご操作盤１８のみである場合、図４に示される制御動作は、利用者がかご内に入ってから開始される。
【符号の説明】
【００５３】
１０  視覚障害者用エレベータ、１２  操作盤、１４  操作ボタン、１６  点字名板、１８  かご操作盤、２０  乗場操作盤、２２  かご操作ボタン、２４  かご点字名板、２８，３６  スピーカ、３０  ドア、３２  乗場操作ボタン、３４  乗場点字名板、３８  検出部、４０  モード切替部、４２  登録部、４４  ドア閉動作遅延部、４６  タイマー。
【図１】
2011195225.tif 000003
【図２】
2011195225.tif 000004
【図３】
2011195225.tif 000005
【図４】
2011195225.tif 000006